(57)【要約】      （修正有）【課題】エルボ管径の調節量が大きくとれ、内部保護機能を向上させることができるエルボ用カバーが形成できるワンタッチ式雌雄係合構造を提供する。【解決手段】配管の周方向端で対向し互いに係合される一対の板状の端部に雌雄係合部を有し、ワンタッチ式に係合するエルボ管体用保護カバー１００において、互いに雌雄係合部を形成する、一方の雌型係合片１１０に他方の雄型係合片を受けるＶ字形袋溝を設け、そのＶ字形袋溝の奥に雄型係合片が突き抜ける挿通口１１３を形成する一方、雄型係合片にその先端から円周方向後方に少なくとも１列に並ぶ、複数の係合突起１２２a、１２２ｂ又１２２ｃを円周方向内方又は外方に配列し、雄型係合片をその先端からＶ字形袋溝内奥に挿入し、その奥の挿通口を突き抜けるまで挿入した後、挿通口に係合突起を係合させることが可能な雌雄係合構造を備えることを特徴とする。【選択図】図１
0003233511.tif 000002
【実用新案登録請求の範囲】
【請求項１】
大略逆U字形の環状体の一対の端部に雌雄係合部を設け、互いに係合させて環状となす管体のエルボを保護するカバー１００において、
一方の雌型係合片１１０の端部１１１に、基部１１１aから円周方向内方に折り返す第１折片１１１ｂと折り返した後反対円周方向外方に折り戻す第２折片１１1ｃとからV字形袋溝１１２を形成し、他方の雄型係合片１２０を受ける構成とするとともに、そのV字形袋溝１１２の底部に位置する折り返し部１１１ｄ又はその近傍に雄型係合片１２０の先端部１２１が突き抜ける幅方向に延びる挿通口１１３を形成する一方、雄型係合片１２０の先端部に円周方向に少なくとも１列の係合突起１２２a，１２２b,１２２ｃ・・・を複数個配列し、
該雄型係合片１２０をその先端からV字形袋溝１１２内に挿入し、その奥の挿通口１１３を突き抜けるまで挿入した後、挿通口１１３にいずれかの係合突起１２２a，１２２b又は１２２ｃ・・・を係合させ、V字形袋溝１１２を閉じた後、固定手段でV字形袋溝１１２を締定固定してなることを特徴とするV字形袋溝に挿通口を有するエルボ保護カバーの雌雄係合構造。
【請求項２】
雄型係合片１２０の係合突起１２２a,１２２b，１２２c・・・が保護カバー１００の円周方向内方に突出するように設けるときは雌型係合片１１０の挿通口１１３を第１折片１１１ｂの奥の、折り返し部１１１ｄと接する近傍に設け、その上側縁１１３aに係合するようにする一方、雄型係合片１２０の係合突起１２２a,１２２b，１２２c・・・がカバー円周方向外方に突出するように設けるときは雌型係合片１１０の挿通口１１３を第２折片１１１ｃの奥、即ち折り返し部１１１ｄのと接する近傍に設け、その下側縁１１３ｂに係合する請求項１記載のエルボ保護カバーの雌雄係合構造。
【請求項３】
固定手段が基部１１１a、第１折片１１１ｂ又は第２折片１１１ｃの側部から幅方向に張り出して設けた舌片１１４からなり、これを幅方向に折り返してV字形袋溝１１２を締め付け固定する請求項１又は２記載のエルボ保護カバーの雌雄係合構造。
【請求項４】
大略逆U字形の環状体の一対の端部に雌雄係合部を設け、互いに係合させて環状となす管体のエルボを保護するカバー１００において、
一方の雌型係合片１１０の端部１１１に、基部１１１aから円周方向内方に折り返す第１折片１１１ｂと折り返した後反対円周方向外方に折り戻す第２折片１１1ｃとからV字形袋溝１１２を形成し、他方の雄型係合片１２０を受ける構成とするとともに、そのV字形袋溝１１２の第１折片１１１ｂの折り返し部１１１ｄと接する位置に、雄型係合片１２０の先端部１２１が突き抜ける幅方向に延びる挿通口１１３を形成する一方、雄型係合片１２０の先端部に円周方向内方に少なくとも１列の係合突起１２２a，１２２b,１２２ｃ・・・を複数個配列し、
該雄型係合片１２０をその先端からV字形袋溝１１２内に挿入し、その奥の挿通口１１３を突き抜けるまで挿入した後、挿通口１１３の上縁部１１３aにいずれかの係合突起１２２a，１２２b又は１２２ｃ・・・を係合させ、V字形袋溝１１２を閉じた後、前記固定手段が基部１１１aの側部から幅方向に張り出して設けた舌片１１４からなり、これを幅方向に折り返してV字形袋溝１１２を締め付け固定することを特徴とする請求項１記載のV字形袋溝に挿通口を有するエルボ保護カバーの雌雄係合構造。
【考案の詳細な説明】
【技術分野】
【０００１】
本考案は、ワンタッチ装着式エルボ用保護カバーの新規雌雄係合構造に関する。
【背景技術】
【０００２】
従来、断熱材等が巻き付けられた配管の屈曲部を覆い、その内部（断熱材等）を保護するためのエルボ用保護カバーが知られている。このようなエルボ用保護カバーは、配管の周方向で対向し互いに係合される一対の係合端部を備え、ワンタッチ装着式となっている。この一対の端部を係合させるための機構として、図２Aに示すように、一方の端部の延長部分７，８を折り返して受け溝９を形成し、この受け溝９内に他方の端部２を挿入しその係合突起１９をて係止させる、所謂雄雌構造を採用したものが知られている（特許文献１）。しかし、このエルボ用保護カバーでは、重なり合う部分が少なく、内部を十分に保護することができないおそれがあった。そこで、保護機能を向上することができるエルボ用保護カバーとして、図２Bに示すように、雌側の係合部の受け溝を形成する折り返し部４０の面内に複数、周方向に並んで係合突起を設け、ここに雄型係合片３０を差し込んで、雄側の係合部の突起を雌側の係合部の突起と係合するように形成している（特許文献２）。
【先行技術文献】
【特許文献】
【０００３】
【特許文献１】特開２００８−９５７４７号
【特許文献１】特開２０１４−４２２９６号
【考案の概要】
【考案が解決しようとする課題】
【０００４】
しかしながら、従来の所謂雄雌構造では、いずれもが一方の端部の延長部分を折り返して形成される受け溝又は袋溝に、他方の端部を挿入して係止させるため、受け溝又は袋溝の深さに雄型係合片の挿入量が制限されるところがあり、エルボ管径に合わせて円周方向のサイズを広く調整できないだけでなく、挿入係合が浅くなると、その内部を十分に保護することができないおそれがあった。すなわち、従来の雌雄係合構造では、雌型袋溝の深さに制限されるため、エルボ管径の調節量が十分でなく、他方、一対の雌雄係合端部の係合が浅いときは係合保持強度が不十分となる。かかる欠点は雌型受け溝又は袋溝で雄型係合片を受ける構造にあることに着目し、鋭意研究の結果、受け溝の折り返しの入り口又は中腹でなく、折り返しの奥を、しかもそこを雄型係合片先端部が越えて係合するようにすれば、雌雄係合端部の係合位置が最初のときでも、十分な係合強度が確保できるだけでなく、エルボ管径の調節量が大きくとれ、内部保護機能を向上することができるエルボ用カバーができることに着目し、その新規雌雄係合構造を提供することを課題とする。
【課題を解決するための手段】
【０００５】
上記課題を達成するため、本考案は、配管の周方向端部で対向し、互いに係合される一対の板状の端部に雌雄係合部を有するエルボ管体用保護カバーにおいて、一方の雄型係合片を受ける、他方の雌型係合片のV字形袋溝の奥の底部に雄型係合片が突き抜ける挿通口を設け、雄型係合片がその挿通口を突き抜け、袋溝の奥まで挿入した後、挿通口に係合突起を係合させるようにすれば、一対の雌雄係合片の最初の雌雄係合であっても十分な係合強度を有する係合構造が得られることを見出して完成したものであって、
配管の周方向端で対向し互いに係合される一対の板状の端部に雌雄係合部を有し、ワンタッチ式に係合するエルボ管体用保護カバーにおいて、
互いに雌雄係合部を形成する、一方の雌型係合片に他方の雄型係合片を受けるV字形袋溝を設け、そのV字形袋溝の奥に雄型係合片が突き抜ける挿通口を形成する一方、雄型係合片にその先端から円周方向後方に少なくとも１列に並ぶ、複数の係合突起を配列し、雄型係合片をその先端からV字形袋溝内に挿入し、その奥の挿通口を突き抜けるまで挿入した後、挿通口に係合突起を係合させることが可能な雌雄係合構造を備えることを特徴とする。
【考案の効果】
【０００６】
本考案においては、雄型係合片の先端近傍に位置する係合突起が係合する場合であっても、雌型係合片の係合部は雄型係合片が突き抜けるV字形袋溝の奥に形成されるので、従来のように、V字形袋溝の先端又は中腹に係合部がある場合に比して、雄型係合片と雌型係合片が十分に重なり合った後その奥の挿通口を突き抜けた雄型係合片の係合突起と係合するため、(１)最も浅い係合位置であっても雄型係合片は雌型係合片のV字形袋溝を突き抜けた後に、係合されるため、保護カバー内部は完全に保護され、十分な係合強度が確保される。しかも、(２)従来に比して長い係合調整距離を取ることができる。さらに、(３)Ｖ字形は通常側方に張り出す舌片等の固定手段で緊締されるため、係合は簡単に外れないが、Ｖ字形の袋溝の折り返し部に挿通口が位置するため、Ｖ字形を開くことにより雌雄係合を容易に解除することができるという利点を有する。
【図面の簡単な説明】
【０００７】
【図１】本考案の保護カバーの雌型係合片を有する左側保護カバー（a）と雄型係合片を有する右側保護カバー（ｂ）の平面図で、（ｃ）及び（ｄ）はその係合部の断面図である。
【図２Ａ】従来の先行文献１の雌雄係合構造を有するエルボ保護カバーの斜視図である。
【図２Ｂ】従来の先行文献２の雌雄係合構造を有するエルボ保護カバーの斜視図である。
【図３】本考案のエルボ用保護カバーの雌雄係合構造の組立図で、（１）雌型係合片の折り畳み工程を示す斜視図で、[１]、[２]は折り畳み順序を示す。（２）は折り畳んで形成されたＶ字形袋溝に挿入する１列の係合突起を有する雄型係合片を対向させた状態を示す斜視図である。
【図４】（１）は雄型係合片の先端の第１係合突起を挿通口に係合させた状態、（２）雄型係合片の先端から第２係合突起を挿通口に係合させた状態を示す斜視図である。
【図５】（１）は雄型係合片の先端の第３係合突起を挿通口に係合させた状態、（２）雌型係合片のV字形袋溝を折り畳み、側方舌片を折り返し、緊締固定した状態を示す斜視図である。
【考案を実施するための形態】
【０００８】
本考案は図１及び図３に示す大略逆U字形の環状体の一対の端部に雌雄係合部を設け、互いに係合させて環状となす管体のエルボを保護するカバー１００において、その雌雄係合構造を改良したものである。すなわち、一方の雌型係合片１１０の端部１１１に、まず、基部１１１aから周方向内方に第１折片１１１ｂを折り返す。次いで、折り返した後反対円方向外方に第２折片１１1ｃを折り戻すと、他方の雄型係合片１２０を受けるV字形袋溝１１２が形成される。そのV字形袋溝１１２の形成する折り返し部１１１ｄには雄型係合片１２０の先端１２１が突き抜ける幅方向に延びる挿通口１１３が形成されている（図３（１）参照）。他方、雄型係合片１２０にその端部１２１には先端から円周方向内方に少なくとも１列の係合突起１２２a，１２２b,１２２ｃ・・・を複数配列して設ける（図３（２）参照）。係合突起は二列、三列に配列することも、１列４個、５個配列とすることもできる。
【０００９】
そして、雄型係合片２０をその先端からV字形袋溝１１２内に挿入し、その奥の挿通口１１３を突き抜けるまで挿入した後、挿通口１１３の上縁部１１３aに先端の第１係合突起１２２aを係合させる（図４（１）参照）。図４（２）は挿通口１１３に先端の第２係合突起１２２ｂを係合させた状態を示す。また、図５（１）は挿通口１１３に先端の第３係合突起１２２ｃを係合させた状態を示す。第１、第２、第３のいずれかの係合突起１２２a,１２２b,１２２cを選択して挿通口１１３に係合させた後、V字形袋溝１１２を閉じ緊締する。緊締するための固定手段は、図面では固定手段は基部１１１aの側部に幅方向に張り出して設けた舌片１１４からなり、これを幅方向に折り返してV字形袋溝１２を締め付け固定するようにしたが、第１折片１１１ｂ又は第２折片１１１ｃの側部で側方に張り出す舌片を折り返して用いてもよい。また、その他のコ字形挟持具を用いて挟むようにしてもよい。前記雄型係合片の係合突起１２２a、１２２b,１２２cは、図１（ｄ）に示すように、カバー内方に突出するものを採用したがカバー外方に突出するものであってもよい。前者の場合は図面に示すように、雌型係合片１１０の挿通口１１３に対しては第１折片１１１ｂの折り返し部１１１ｄと接するように設け、その上側縁１１３aに係合するようにさせるが、雄型係合片の係合突起がカバー円周方向の外方に突出するときは挿通口１１３は雌型係合片１１０の第２折片１１１ｃの折り返し部１１１ｄに接して挿通口１１３を設け、その下側縁１１３ｂに係合するように変形させるのがよい。
【符号の説明】
【００１０】
１００  エルボ用保護カバー
１１０  雌型係合片
１１２  V字形受け溝
１１３  挿通口
１２０  雄型係合片
１２２  係合突起
【図１】
0003233511.tif 000003
【図２Ａ】
0003233511.tif 000004
【図２Ｂ】
0003233511.tif 000005
【図３】
0003233511.tif 000006
【図４】
0003233511.tif 000007
【図５】
0003233511.tif 000008